(57)【要約】【課題】  ハウジングへの植設工程における効率が高く、糸バリによる端子間の短絡を回避され、保持位置及び保持姿勢が安定するコネクタ端子の提供。【解決手段】  ハウジングの保持孔Ｘに保持される端子であって、前記保持孔に挿入され相接続する部材の端子と接する線状の端子部１と、前記保持孔Ｘの内壁面に圧接する係止部２を備え、前記係止部２の直前に前記端子部１の向きを前記保持孔Ｘの向きに一致させる補正部３を備え、前記補正部３は、前記保持孔Ｘの一定長に亘ってその内面に接する十字断面部を有し、当該十字断面部を形作る四本の突条７は、前記端子部１の外縁と平行な外縁を有することを特徴とするコネクタ端子。【選択図】      図１
2014203627.tif 000002
【特許請求の範囲】
【請求項１】
ハウジングの保持孔に保持される端子であって、
前記保持孔に挿入され相接続する部材の端子と接する線状の端子部と、前記保持孔の内壁面に圧接する係止部を備え、
前記係止部の直前に前記端子部の向きを前記保持孔の向きに一致させる補正部を備え、
前記補正部は、前記保持孔の一定長に亘ってその内面に接する十字断面部を有し、
当該十字断面部を形作る四本の突条は、前記端子部の外縁と平行な外縁を有することを特徴とするコネクタ端子。
【請求項２】
前記係止部は、前記端子における前記突条が突出していない側の相反する側方へ突出する係止片を備えることを特徴とする前記請求項１に記載のコネクタ端子。
【請求項３】
前記端子部は、方形断面の線状を呈し、
前記十字断面部は、前記方形断面の対角線に沿う四本の突条を備え、
前記係止部は、前記方形断面を形作る四辺の直角二等分線に沿う係止片を備えることを特徴とする前記請求項１又は請求項２のいずれかに記載のコネクタ端子。
【発明の詳細な説明】
【技術分野】
【０００１】
本発明は、コネクタハウジング（以下、ハウジングと適宜記す。）に保持され、複数の回路やモジュール間の接続を中継等するコネクタ端子に関する。
【背景技術】
【０００２】
コネクタ端子（以下、端子と適宜記す。）は、ハウジングに形成された複数の保持孔に圧入保持されて使用されるが、端子の保持精度は、適切な保持強度と共に、当該端子が中継する電子回路の性能に大きな影響を与え、前記ハウジングに圧入する際の負荷や糸バリの発生も、製品の歩留まりや製造効率に大きな影響を与える。
【０００３】
そこで、端子が保持されるべき位置（保持位置）に係止突起を設ける手法や、更に、前記保持位置に形態を工夫した突起部を複数設けることによりガタつきのない安定した起立を可能とする手法（例えば、下記特許文献１及び特許文献２参照。）などが採られている。
また、糸バリの発生による弊害を回避する手法としては、前記保持位置の前に段差を伴う小幅部を設けることでで、端子の圧入で生じた糸バリを途切れさせ、当該端子と糸バリとを絶縁させる手法（例えば、下記特許文献３参照。）などが採られている。
【先行技術文献】
【特許文献】
【０００４】
【特許文献１】特開２０００−２４３４９５号公報
【特許文献２】特開２００５−３４００６８号公報
【特許文献３】特開２００９−１６３２８号公報
【発明の概要】
【発明が解決しようとする課題】
【０００５】
しかしながら、上記手法には、各々の目的に応じた構造的特徴が与えられているが、保持位置に至るまでの孔径が端子の外径よりも大きいと、端子挿入速度は高められるものの、端子のハウジングに対する姿勢が不安定となり、保持位置に達した際の起立状態（複数の端子の起立状態：以下真直性と記す。）が安定しないという問題がある。
【０００６】
本発明は、上記実情に鑑みてなされたものであって、ハウジングへの植設効率が高く、糸バリによる端子間の短絡が回避され、保持位置及び保持姿勢が安定するコネクタ端子の提供を目的とする。
【課題を解決するための手段】
【０００７】
上記課題を解決する為になされた本発明によるコネクタ端子は、コネクタの保持孔に保持される端子であって、前記保持孔に挿入され相接続する部材の端子と接する線状の端子部と、前記保持孔の内壁面に圧接する係止部を備え、前記係止部の直前に前記端子部の向きを前記保持孔の向きに一致させる補正部を備え、前記補正部は、前記保持孔の一定長に亘ってその内面に接する十字断面部を有し、当該十字断面部を形作る四本の突条は、前記端子部の外縁と平行な外縁を有することを特徴とする。
ここで、コネクタとは、ソケットやプラグや基盤など、素材等を問わず単数又は複数の電子回路を、当該一部材を以って一括接続することを目的とする部材である。
【０００８】
前記係止部は、前記端子における前記突条が突出していない側の相反する側方へ突出する係止片を備えた構成することが望ましい。
【０００９】
また、前記端子部は、方形断面の線状を呈し、前記十字断面部は、前記方形断面の対角線に沿う四本の突条を備え、前記係止部は、前記方形断面を形作る四辺の直角二等分線に沿う係止片を備えるコネクタ端子として構成してもよい。
【発明の効果】
【００１０】
本発明によるコネクタ端子によれば、前記保持孔を拡幅することなく挿入できる線状の端子部を具備することによって、ハウジングへの植設効率を高めることができると共に、端子部が挿入される際における糸バリの発生を抑制することができる。
また、前記係止部の直前に前記端子部の向きを前記保持孔の向きに一致させる補正部を備える構成によって、端子を保持孔に植設した際、前記係止部直前における端子の真直性をより高め、複数の端子を整列状態で植設した際の姿勢を均一化することができる。
【００１１】
更に、前記係止部を、前記端子における前記突条が突出していない側の相反する側方へ突出する係止片を備える構造とすることによって、保持位置及び保持姿勢を安定させることができることはもとより、保持孔に、係止片に先駆けて進入する突条によって、当該保持孔内面の係止片で支持する部位に、変形などが生じる等の不都合を回避することができる。
【００１２】
前記端子部は、方形断面の線状を呈し、前記十字断面部は、前記方形断面の対角線に沿う四本の突条を備え、且つ前記係止部は、前記方形断面を形作る四辺の直角二等分線に沿う係止片を備える構造とすることによって、断面形状が略方形の保持孔へ補正部が進入する際、端子部に続く補正部の突条が保持孔の方形断面の対角線に沿う様に作用することとなる。その結果、端子挿入時の回転が一定の向きで制止され（端子側面の向きが安定し）、且つ摩擦が軽減されて進入が容易となり、当該保持孔の内面における係止片で支持する部位の変形をより確実に回避することができる（図７及び図８参照）。
【図面の簡単な説明】
【００１３】
【図１】本発明によるコネクタ端子の一例を示す斜視図及びその要部拡大図である。
【図２】本発明によるコネクタ端子の一例を示す側面図及びその矢視要部拡大図である。
【図３】本発明によるコネクタ端子の一例を示す側面図及びその矢視要部拡大図である。
【図４】本発明によるコネクタ端子の一例を示す正面図及び背面図である。
【図５】本発明によるコネクタ端子の一例を示す図２（Ｂ）の（Ａ）：Ａ−Ａ矢視断面図、（Ｂ）：Ｂ−Ｂ矢視断面図、（Ｃ）：Ｃ−Ｃ矢視断面図、（Ｄ）：Ｄ−Ｄ矢視断面図、（Ｅ）：Ｅ−Ｅ矢視断面図である。
【図６】本発明によるコネクタ端子の保持状態の一例を示す（Ａ）正面図、（Ｂ）：側面図である。
【図７】本発明によるコネクタ端子の進入姿勢の補正過程の一例を示す側面図である。
【図８】本発明によるコネクタ端子の進入姿勢の補正過程の一例を示す前方から見た説明図である。
【発明を実施するための形態】
【００１４】
以下、本発明によるコネクタ端子の実施の形態を図面に基づき説明する。
図１に示す例は、コネクタのハウジングが備える保持孔Ｘに保持される端子である。
【００１５】
この端子は、前記保持孔Ｘに挿入され相接続する部材の端子と接する端子部１と、前記保持孔Ｘの内壁面に圧接する係止部２と、前記保持孔Ｘに対する真直性を高める補正部３を備える。
ここで、前記保持孔Ｘに対する真直性とは、前記端子の挿入方向が前記保持孔Ｘの中心に沿う様に働く性状を指す。
【００１６】
＜端子部＞
前記端子は、一連の直線状角線材からなり、方形断面の角線状を呈し先端部が先細りとなる様に成形された前後端子部１ａ，１ｂを相異なる方向へ向けて備える。
前記端子部（角線材）１及び保持孔Ｘには、前記保持孔Ｘに対して大きな抵抗を伴うことなく前記端子部１を挿入できる太さと形状を各々採用する。
例えば、前記保持孔Ｘを□０．６５ｍｍとすれば前記端子部１を□０．６４ｍｍとするなど、前記保持孔Ｘの断面に対して前記端子部１の断面を、ガタつかない程度に小さく設定すれば、前記端子部１を強い力で圧入する手間を回避できる（保持孔Ｘを拡幅することなく挿入することができる）ことで、前記保持孔Ｘとの干渉で生じる糸バリの発生を抑制することができる他、ハウジングへの前記端子の植設効率（速度）が向上し、それが製品の歩留まりや生産効率の向上にも寄与する（図５乃至図８参照）。
【００１７】
＜係止部＞
前記係止部２は、前記保持孔Ｘへ前記補正部３が進入することによる真直性の向上が機能した後の姿勢を、前記保持孔Ｘの内面との関係で維持しつつ、安定して得る構造であれば良い。
【００１８】
例えば、図１に示す例の前記係止部２は、前記端子の相反する側方へ突出する一定長の係止片を備え、二対又はそれ以上の係止片４ａ，４ｂを前後に分割して備える。
各係止片４ａ，４ｂは、その中心が前記端子部１の方形断面を形作る四辺の直角二等分線に沿う様に、その突出方向（突出高の頂が指す向き。以下、遠心方向と記す。）を定める（図６（Ａ）参照）。
【００１９】
尚、前記係止片４ａ，４ｂの突出方向は、同位相でも良いし（図１に示す例は、同位相。）、９０度のズレを与えても良い（ここで、位相とは、前記端子部を中心とする位相である。）。また、前記係止片４ａ，４ｂの長さにあっても、前記保持孔Ｘの内面との関係で、少なくとも保持された端子が大きく傾斜しないために十分な長さが確保されていればよい（図７（Ｃ）参照）。
【００２０】
前記係止片４ａ，４ｂは、挿入方向から見て左右対照となる均一な断面を各々備え、先端面に、略全幅に亘る幅のＶ字溝（又は、平面やＵ字溝でもよい）５ａ，５ｂを当該係止片４ａ，４ｂの全長に亘って備える（図１参照）。
前記Ｖ字溝５ａ，５ｂの先端に形作られる一対の爪６ａ，６ｂは、前記保持孔Ｘの内面に圧接し、又は食い込むことで、真直性が高められて挿入された端子を振れない状態に支持するアンカーとして機能する。
【００２１】
本発明による端子においては、二対の前記係止片４ａ，４ｂを、間欠部８を介在して連設し、各々の突出方向の位相に９０度のズレを与え、又は二対の前記係止片４ａ，４ｂの幅（又はＶ字溝５ａ，５ｂの幅）について一対毎に差を設けることによって、前記保持孔Ｘの内面における圧接箇所又は食い込み箇所をシフトさせることができる。
【００２２】
また、前記補正部３から徐々に外径を増す形で、前記係止部２全体の進入を促すには、進入方向前段の前記係止片４ａの高さ（端子の中心からの距離。以下、同じ。）は、前記補正部３の高さよりも僅かに高く、後段に存在する前記係止部２の係止片４ｂの高さよりも僅かに低くすることが望ましい。
【００２３】
＜補正部＞
前記補正部３は、前記係止部２の直前に、その係止片４とは分離して設ける。
前記補正部３は、前記保持孔Ｘの一定長に亘ってその内面に接する十字断面部を有する。
当該十字断面部を形作る四本の突条７，７，７，７は、前記端子部１の外縁と平行な外縁を有し、前記端子部１が形作る方形断面の対角線に沿う遠心方向へ、前記保持孔Ｘの隅角部に接し、又は僅かに食い込む高さだけそれぞれ均等に突出する（例えば、図６（Ａ）参照）。前記補正部３の前部に、テーパー部を設けても良い。
【００２４】
当該補正部３が圧入される結果、前記突条７は、前記保持孔Ｘの方形断面の対角線に倣って、又は、前記保持孔Ｘの隅角へ僅かに食い込んで当該端子側面の向き及び当該端子の進入姿勢を補正し（図７及び図８参照）、前記端子部の向きを前記保持孔Ｘの向きに一致させる（即ち、真直性を発揮させる。）。
【００２５】
前記突条７の長さとしては、前記保持孔Ｘの最大幅（当該例では対角線長）より十分長く、前記保持孔Ｘの内面との関係で、少なくとも保持された端子の傾斜が改善される長さが求められる。
例えば、前記保持孔Ｘの最大幅の１．５倍以上の長さであって、前記保持孔Ｘの長さを超えない範囲とすることが当該補正部３の効果のみを得るための実用範囲である。前記保持孔Ｘの内部に、前記補正部３と係止部２の双方を保持する場合には、前記保持孔Ｘの長さから係止部２の長さを差し引いた長さが、前記補正部３が実用効果を奏する長さの略上限となる。
【００２６】
上記構成によれば、前記保持孔Ｘの形状と十字断面部の突条７との関係で糸バリが生じたとしても、その後に続く前記係止片４との間が、その長手方向へ離隔し、又は位相のズレで分離していることから、当該分離点において糸バリが分断され、コネクタへ植設された後の端子間で短絡が生じる虞が略解消される。
【００２７】
また、前記係止片４が、前記十字断面部の隣接する突条７，７が突設されていない位相で突設されることともなり、前記保持孔Ｘの内面における前記十字断面部の突条７の接する位置とは異なる位置に圧接・係止することとなって、前記係止片４が圧入される前に、前記保持孔Ｘの内面が損傷する虞も少なくなる。この効果は、前記係止片４の突出高が、前記突条７の突出高よりも高いことによってより顕著となり、前後係止片４ａ，４ｂ相互の関係においても前係止片４ａの突出高より後係止片４ｂの突出高が高いことによって顕著となる。
【００２８】
＜間欠部＞
この例は、前記の如く二対の前記係止片４ａ，４ｂに挟まれた領域に間欠部８を備えることによって、前記係止片４ａそれぞれで生じた糸バリを分断する他、二対の前記係止片に大小差を設けることによって、ハウジングのモールド部を一部咥えこんで、いったん保持された状態をロックして離脱を防止するロック機能が備わる。
【符号の説明】
【００２９】
Ｘ  保持孔，
１  端子部，１ａ  端子部（前），１ｂ  端子部（後），
２  係止部，３  補正部，
４  係止片，４ａ  係止片（前），４ｂ  係止片（後），
５  Ｖ字溝，５ａ  Ｖ字溝（前），５ｂ  Ｖ字溝（後），
６  爪，６ａ  爪（前），６ｂ  爪（後），
７  突条，８  間欠部，
【図１】
2014203627.tif 000003
【図２】
2014203627.tif 000004
【図３】
2014203627.tif 000005
【図４】
2014203627.tif 000006
【図５】
2014203627.tif 000007
【図６】
2014203627.tif 000008
【図７】
2014203627.tif 000009
【図８】
2014203627.tif 000010